(57)【要約】【課題】  本考案はフラワーアレンジメントに関し、特に生花や造花に宝石を使用すると共に、リボン等の装飾品を使用したフラワーアレンジメントを提供するものである。【解決手段】  キュービックジルコニアと、台座、及び針状の取付け部から成るアクセサリと、上記針状の取付け部が刺設されるオアシスと、更に上記針状の取付け部によってオアシスに固定された花と、前記オアシスの外周を覆うリボン等の覆設部とを具備するフラワーアレンジメントであり、例えばアクリルケースに収納されている構成である。【選択図】  図２
0003133569.tif 000002
【実用新案登録請求の範囲】
【請求項１】
キュービックジルコニア、台座、及び針状の取付け部から成ることを特徴とするアクセサリ。
【請求項２】
キュービックジルコニア、台座、及び針状の取付け部から成るアクセサリと、
該針状の取付け部が刺設されるオアシスと、
前記アクセサリとオアシス間に配設された花と、
前記オアシスの外周を覆う覆設部と、
を具備することを特徴とするフラワーアレンジメント。
【請求項３】
請求項２に記載のフラワーアレンジメントにおいて、
全体が透明のアクリルケースに収納されていることを特徴とする。
【考案の詳細な説明】
【技術分野】
【０００１】
本考案はフラワーアレンジメントに関するものであり、特にリボン等を使用したフラワーアレンジメントに関する。
【背景技術】
【０００２】
今日、ダイヤモンド、ルビー、エメラルド等の宝石類は、その美しい輝きと希少性から指輪、ネックレス、ペンダント等の種々の装飾品に使用されている。一方、ダイヤモンド類似石として知られるキュービックジルコニアも、安価であり装飾品等に広く使用されている。
【０００３】
特許文献１はこのような宝石を使用したアクセサリの発明である。この発明はアクセサリ本体としてのマーカ、台座、取付け脚からなり、例えば帽子の空気抜き孔、或は衣服のボタン孔などの孔部に取付けるアクセサリである。
【０００４】
【特許文献１】特開２００６−３３３８９１号公報
【考案の開示】
【考案が解決しようとする課題】
【０００５】
しかしながら、上記従来の宝石を使用したアクセサリでは、宝石を単に台座に固定し帽子や衣服に取り付けるだけであり、飾身具としての使用するものである。
【０００６】
そこで、本考案は生花や造花にキュービックジルコニア等を使用すると共に、リボン等の装飾品を使用したフラワーアレンジメントを提供するものである。
【課題を解決するための手段】
【０００７】
上記課題は本考案によれば、キュービックジルコニア、台座、及び針状の取付け部から成るアクセサリと、該針状の取付け部が刺設されるオアシスと、該針状の取付け部によってオアシスに固定された花と、前記オアシスの外周を覆う覆設部とを具備するフラワーアレンジメントを提供することによって達成できる。
また、上記フラワーアレンジメントは、例えば透明なアクリルケースに収納され、リボンで結ばれている。
【考案の効果】
【０００８】
本考案によれば、キュービックジルコニアを使用した宝石を生花や造花に装飾し、更に花をオアシスに固定し、周囲をリボン等の装飾品で覆ったフラワーアレンジメントを提供することができる。
【考案を実施するための最良の形態】
【０００９】
以下、図面を参照しながら本考案の実施の形態について説明する。
（実施形態１）
図１は本実施形態のキュービックジルコニアを使用した装飾品の構成を示す図である。同図において、装飾品１はキュービックジルコニア２、台座３、及び針状の取付け部４で構成されている。尚、キュービックジルコニア２は天然のダイヤモンドに対する類似石として人工的に作られた人造石であり、装飾品を安価に作成することができる。
【００１０】
台座３は、例えば洋銀等の強度があり、ロウ付けに適した材質の金属で構成されている。キュービックジルコニア２の台座３への取付けは、この台座３に上記キュービックジルコニア２を載置し、台座３に形成された３箇所のツメ３ａ〜３ｃにカシメ加工を施すことによって取付けられている。
【００１１】
針状の取付け部４は、例えばニッケル−銅合金等の折り曲げても脆化しない材質であり、台座３の下端にロウ付けされている。また、針状の取付け部４の先端４ａはオアシスに刺設するために適した形状である。
【００１２】
このように構成することによって、本例のキュービックジルコニア２を使用した装飾品１は、後述するフラワーアレンジメントに取り付けて使用することができる。
【００１３】
尚、上記説明において、キュービックジルコニア２に代えて、例えば天然のダイヤモンドを使用する構成としてもよい。また、台座３の材料として洋銀の例を説明したが、強度が確保できる材料であれば上記材料に限るものではない。また、針状の取付け部４としてニッケル−銅合金の例を説明したが、折り曲げても脆化しない材質であれば他の材料で構成してもよい。
（実施形態２）
【００１４】
次に、本考案の実施形態２について説明する。
本例は上記装飾品１を使用したフラワーアレンジメントの発明であり、以下具体的に説明する。
【００１５】
図２は、本例のフラワーアレンジメントの外観図であり、フラワーアレンジメント６は透明なアクリルケース７に収納されており、前述のキュービックジルコニア２を使用した装飾品１、針状の取付け部が刺設されたオアシス８、該針状の取付け部によってオアシス８に固定されたバラの花９、及び上記オアシス８の外周を覆う覆設部１０で構成されている。尚、上記アクリルケース７にはリボン１１が結ばれている。
【００１６】
図３は、上記アクリルケース７からフラワーアレンジメント６を取り出した状態を示す図である。オアシス８とバラの花９の固定は、例えば凸部を有するバラの花９の基台をオアシス８の上部に設けられた凸に勘入することによって取り付けられている。
【００１７】
覆設部１０内に位置する不図示のオアシス８は、フラワーアレンジメントには欠かせない生花用、花留め吸水性スポンジであり、生け花の剣山の役割をする部材である。
【００１８】
また、本例ではバラの花９を使用しているが、バラの花９に限らず、他の花を使用して構成してもよい。また、覆設部１０は幅広のリボンや布が使用され、模様が施されている。また、覆設部１０は丸形状のアクリルで装飾された針金１２によって保定されている。
【図面の簡単な説明】
【００１９】
【図１】本実施形態のキュービックジルコニアを使用した装飾品の構成を示す図である。
【図２】アクリルケースに収納されたフラワーアレンジメントの外観図である。
【図３】フラワーアレンジメントの外観図である。
【符号の説明】
【００２０】
１・・・装飾品
２・・・キュービックジルコニア
３・・・台座
３ａ、３ｂ、３ｃ・・ツメ
４・・・針状の取付け部
４ａ・・先端
６・・・フラワーアレンジメント
７・・・アクリルケース
８・・・オアシス
９・・・バラの花
１０・・覆設部
１１・・リボン
１２・・針金
【図１】
0003133569.tif 000003
【図２】
0003133569.tif 000004
【図３】
0003133569.tif 000005
【手続補正書】
【提出日】平成19年5月14日(2007.5.14)
【手続補正１】
【補正対象書類名】実用新案登録請求の範囲
【補正対象項目名】全文
【補正方法】変更
【補正の内容】
【実用新案登録請求の範囲】
【請求項１】
キュービックジルコニア、台座、及び針状の取付け部から成ることを特徴とするアクセサリ。
【請求項２】
キュービックジルコニア、台座、及び針状の取付け部から成るアクセサリと、
該針状の取付け部が刺設されるオアシスと、
前記アクセサリとオアシス間に配設された花と、
前記オアシスの外周を覆う覆設部と、
を具備することを特徴とするフラワーアレンジメント。
【請求項３】
全体が透明のアクリルケースに収納されていることを特徴とする請求項２に記載のフラワーアレンジメント。